(57)【特許請求の範囲】
【請求項１】
カードを挿通する挿通孔と、前記挿通孔から挿入されたカードを支持する支持手段とを備えたカードホルダであって、
前記支持手段は、前記カードの挿入方向と交差する方向に離間配置されて前記カードの周囲側面を支持する一対の支持壁を有し、
前記支持手段は、前記一対の支持壁のうち一方の前記支持壁のみが、前記カードの周囲側面との間隔を前記挿通孔からの離間距離によって異ならせた間隔調整部を備え、前記間隔調整部は、前記カードの挿入方向と交差する方向であって挿入されたカードに接近する方向に突出する円弧状に形成されており、前記間隔調整部の最大膨出部が、定位置に収容された前記カードの前記周囲側面に圧接し、
前記支持手段の前記間隔調整部よりも前記カードの挿入方向にて前記挿通孔に近い部位に、前記カードの進入方向を規制するガイド壁を備え、
前記支持手段は、前記一対の支持壁の間に、前記カードを厚さ方向にガイドする面ガイド壁を備えることを特徴とするカードホルダ。
【請求項２】
前記間隔調整部は、定位置に収容された前記カードの底辺に近い位置に配置されていることを特徴とする請求項１に記載のカードホルダ。
【請求項３】
前記間隔調整部は弾性変形可能に構成されていることを特徴とする請求項１または請求項２に記載のカードホルダ。
【発明の詳細な説明】
【技術分野】
【０００１】
この発明は、カードホルダに関するものである。
【背景技術】
【０００２】
一般に、キャッシュカードやＥＴＣカードなど（以下、カードと略す）を挟んで保持するカードホルダは、板ばね機能を有する弾性片をカードの表面または裏面に圧接させ、固定片との間でカードを板厚方向に挟んで保持している（例えば、特許文献１参照）。
【特許文献１】特開２０００−１３５９５３号公報
【発明の開示】
【発明が解決しようとする課題】
【０００３】
しかしながら、カードにはその表面または裏面に磁気テープやＩＣチップを備えるものがあり、この種のカードを前記従来のカードホルダで保持すると、磁気テープやＩＣチップが傷付く懸念がある。
これに対処するに、前記弾性片の弾性を弱くし、挟む力を弱くする方法も考えられるが、そうするとカードを保持する保持力が不足してしまう。
また、固定片と弾性片とを同一部品内に設けた場合には、固定片と弾性片との間のカード厚さ方向の隙間寸法に製造上のバラツキが生じると、カードに対する保持力にもバラツキが生じてしまう。
【０００４】
そこで、この発明は、カードの表面および裏面を傷付けず、しかもカードを確実に保持することができ、カードの挿脱が行い易いカードホルダを提供するものである。
【課題を解決するための手段】
【０００５】
この発明に係るカードホルダでは、上記課題を解決するために以下の手段を採用した。
請求項１に係る発明は、カード（例えば、後述する実施例におけるカードＣ）を挿通する挿通孔（例えば、後述する実施例における挿通孔１６）と、前記挿通孔から挿入されたカードを支持する支持手段（例えば、後述する実施例における支持壁２０）とを備えたカードホルダ（例えば、後述する実施例におけるカードホルダ５）であって、前記支持手段は、前記カードの挿入方向と交差する方向に離間配置されて前記カードの周囲側面を支持する一対の支持壁（例えば、後述する実施例における第２支持壁２２および第３支持壁２３）を有し、前記支持手段は、前記一対の支持壁のうち一方の前記支持壁（例えば、後述する実施例における第３支持壁２３）のみが、前記カードの周囲側面（例えば、後述する実施例における左辺Ｃ３）との間隔を前記挿通孔からの離間距離によって異ならせた間隔調整部（例えば、後述する実施例における間隔調整部３０）を備え、前記間隔調整部は、前記カードの挿入方向と交差する方向であって挿入されたカードに接近する方向に突出する円弧状に形成されており、前記間隔調整部の最大膨出部が、定位置に収容された前記カードの前記周囲側面に圧接し、前記支持手段の前記間隔調整部よりも前記カードの挿入方向にて前記挿通孔に近い部位に、前記カードの進入方向を規制するガイド壁（例えば、後述する実施例におけるガイド壁５０）を備え、前記支持手段は、前記一対の支持壁の間に、前記カードを厚さ方向にガイドする面ガイド壁（例えば、後述する実施例における面ガイド壁４０）を備えることを特徴とするカードホルダである。
このように構成することにより、面ガイド壁以外の支持手段をカードの表面および裏面に接触させずに、間隔調整部の最大膨出部を該カードの周囲側面に圧接させて支持することができる。
【０００６】
また、円弧状をなす間隔調整部によってカードを案内することができ、カードのスムーズな挿入が可能となる。
【０００７】
請求項２に係る発明は、請求項１に記載の発明において、前記間隔調整部は、定位置に収容された前記カードの底辺（例えば、後述する実施例における底辺Ｃ１）に近い位置に配置されていることを特徴とする。
このように構成することにより、カードホルダにカードを挿入するときには挿入初期の挿入抵抗を小さくすることができ、一方、カードホルダに保持されているカードを取り出すときには、支持手段の保持力に抗してカードを引き出す力が必要なのは引き出し初期だけで済む。
【０００８】
請求項３に係る発明は、請求項１または請求項２に記載の発明において、前記間隔調整部は弾性変形可能に構成されていることを特徴とする。
このように構成することにより、製造上の支持手段の寸法誤差を補ってカードに対する保持力を確保することができ、カードを確実に保持することが可能となる。また、保持可能なカード寸法の許容範囲が広がる。
【発明の効果】
【０００９】
請求項１に係る発明によれば、支持手段をカードの表面および裏面に接触させずに、間隔調整部の最大膨出部を前記カードの周囲側面に圧接させて支持することができるので、カードの表面および裏面を傷付けないようにすることができ、カードの表面または裏面に設けられた磁気テープやＩＣチップの損傷を防止することができ、カードの機能が損なわれるのを防止することができる。
【００１０】
また、円弧状をなす間隔調整部によってカードを案内することができ、カードのスムーズな挿入が可能となり、カードを挿入し易くすることができる。
【００１１】
請求項２に係る発明によれば、カードホルダにカードを挿入するときには挿入初期の挿入抵抗を小さくすることができ、一方、カードホルダに保持されているカードを取り出すときには、支持手段の保持力に抗してカードを引き出す力が必要なのは引き出し初期だけで済むので、カードの挿脱操作が行い易くなる。
【００１２】
請求項３に係る発明によれば、製造上の支持手段の寸法誤差を補ってカードに対する保持力を確保することができ、カードを確実に保持することが可能となるので、カード保持性能が向上する。また、保持可能なカード寸法の許容範囲が広がり、使い勝手が向上する。
【発明を実施するための最良の形態】
【００１３】
以下、この発明に係るカードホルダの実施例を図１から図７の図面を参照して説明する。なお、この実施例では、車両のグローブボックスに設けられたカードホルダの態様で説明する。
【００１４】
図７に示すように、グローブボックス１は車両のインストルメントパネル１００に対して開閉可能に設置されており、図１、図２に示すように、グローブボックス１は、収容凹部４を有するボックス本体２と、ボックス本体２の化粧面を構成する前面パネル３とを備えて構成されている。なお、以下の説明において方向を示す場合には、図２に示されるように定義する。この定義に従えば、前面パネル３はボックス本体２の前方に配置されることとなる。
【００１５】
ボックス本体２は樹脂製で、前面パネル３に対面する前壁部１１から後方に後壁部１２が連なり、前壁部１１と後壁部１２によって囲まれて上方を開口させた空間が収容凹部４となっている。
【００１６】
前面パネル３は樹脂製で、ボックス本体２の前壁部１１の前面を覆うようにしてボックス本体２に固定されている。前面パネル３の下部両端部は後方に延出しており、ここに、グローブボックス１を車体に対して前後方向に回動可能に支持する回転支持部６１，６１が設けられている。また、図２に示すように、前面パネル３の略中央上部にはレバー６２が取り付けられており、このレバー６２を操作することにより、ボックス本体２と前面パネル３との間に内蔵されているロック装置（図示略）が解除され、グローブボックス１を開けることができるように構成されている。
【００１７】
カードホルダ５は、ボックス本体２の前壁部１１と前面パネル３との間に設けられており、カードＣの出し入れはグローブボックス１を開いて行うようにされている。以下、カードホルダ５の詳細を説明する。
【００１８】
図１に示すように、ボックス本体２の前壁部１１における右側部分には、前壁部１１の周壁部１３よりも若干後方に突出する後方突出部１４が形成されており、この後方突出部１４の上部中央には略半円形状に凹んだカード差し込み部１５が形成されている。図４に示すように、カード差し込み部１５の横幅は、カードホルダ５に差し込まれるカードＣの横幅（短尺側）Ｃｗよりも大きい。また、カード差し込み部１５の上方に位置する周壁部１３からは、周壁部１３と面一な平板状の舌部１７が下方に延設していて、カード差し込み部１５と舌部１７との境界に沿って、カード差し込み部１５の横幅ほぼ一杯にスリット状の挿通孔１６が形成されている。この挿通孔１６からカードＣをボックス本体２と前面パネル３との間に挿入可能となっている。挿通孔１６は、複数のカードＣを所定枚数まで重ねて挿入可能な開口厚を有している。
【００１９】
図３はグローブボックス１を正面側から見た斜視図であって前面パネル３の一部を切り欠いて示しており、図４はボックス本体２における前壁部１１の右側部分を前方から見た正面図、図５は同斜視図、図６はグローブボックス１の図４におけるＡ−Ａ線に沿う部分断面図である。
図６に示すように、挿通孔１６の後方突出部１４側の周縁を包囲するダム部１９は、後方突出部１４の前面（前面パネル３に対向する面）１８から前面パネル３に接近する方向に起立しており、このダム部１９と舌部１７との間に挿通孔１６が形成されている。したがって、挿通孔１６は後方突出部１４の前面１８から離間して位置している。図４に示すように、舌部１７とダム部１９は正面から見て同心円状に配置されており、ダム部１９の方が舌部１７よりも大径となっていて、挿通孔１６は舌部１７およびダム部１９の径方向にも開口している。
【００２０】
また、後方突出部１４の前面（前面パネル３に対向する面）１８には、カードＣを支持する支持壁（支持手段）２０と、カードＣを案内するガイド壁５０が、前面パネル３に接近する方向に起立して設けられている。
支持壁２０は、カードＣの周囲側面における底辺Ｃ１を支持する第１支持壁２１と、カードＣの周囲側面における右辺Ｃ２を支持する第２支持壁２２と、カードＣの周囲側面における左辺Ｃ３を支持する第３支持壁２３と、から構成されている。これら支持壁２１〜２３はいずれも板状をなし、互いに独立して設置されており、つながっていない。
【００２１】
第１支持壁２１は水平姿勢に配置されており、図３，図４に示すように、挿通孔１６から挿入されたカードＣの底辺Ｃ１を第１支持壁２１に突き当てたときに、カードＣの上部が舌部１７に重なって収容凹部４に露出するように、第１支持壁２１の設置位置が設定されている。第１支持壁２１はその全長に亘って後方突出部１４の前面１８と一体に形成されており、第１支持壁２１の外側に設けられた複数のリブ３１によって補強され、剛体に形成されている。
【００２２】
第２支持壁２２の下半部２４は、第１支持壁２１に対して直角をなす直線状に形成されており、挿通孔１６から挿入されたカードＣが定位置に収まったときにカードＣの右辺Ｃ２がこの下半部２４に当接する。換言すると、下半部２４は挿通孔１６から挿入されたカードＣの右辺Ｃ２を定位置に規制する機能を有する。下半部２４の下端は第１支持壁２１の右端近傍に位置している。なお、この実施例において、カードＣの定位置とは、カードＣがその底辺Ｃ１を第１支持壁２１に突き当てるとともに、右辺Ｃ２を第２支持壁２２の下半部２４に突き当てる位置をいう。
【００２３】
下半部２４の上部に連なる第２支持壁２２の上半部２５は、上方に進むにしたがって徐々にボックス本体２の右側縁に接近する曲線状に形成された曲線部２６と、この曲線部２６の上部からさらに上方に延びて第１支持壁２１に対して直角をなす直線状に形成された直線部２７とを備えている。直線部２７の上端２７ａは挿通孔１６の上縁１６ａよりも外側且つ上側に位置し、一方、曲線部２６の下端であり下半部２４の上端２４ａは舌部１７のほぼ最下縁に対応する位置に位置している。第２支持壁２２はその全長に亘って後方突出部１４の前面１８と一体に形成されており、下半部２４の外側、上半部２５における直線部２７の上端２７ａの内側および外側にそれぞれ設けられたリブ３２によって補強され、剛体に形成されている。
【００２４】
第３支持壁２３は、第２支持壁２２の下半部２４に対向して設置されている。第３支持壁２３は、その上部が後方突出部１４の前面１８と一体に形成された固定部２９とされており、この固定部２９に連なる下部は、後方突出部１４の前面１８から離間して設けられて弾性変形可能な間隔調整部３０とされている。
【００２５】
固定部２９は第２支持壁２２の下半部２４とほぼ平行をなす直線状に形成されており、固定部２９は外側に設けられた複数のリブ３３によって補強され、剛体に形成されている。図４に示すように、固定部２９と第２支持壁２２の下半部２４との離間寸法はカードＣの幅寸法Ｃｗよりも十分に大きく設定されている。
【００２６】
間隔調整部３０は、第２支持壁２２の下半部２４に接近する方向（換言すると、カードＣの挿入方向と交差する方向であって挿入されたカードＣに接近する方向）に突出する円弧状をなしている。換言すると、間隔調整部３０は、カードＣの周囲側面である左辺Ｃ３との間隔を挿通孔１６からの離間距離によって異ならせる形態に形成されている。また、間隔調整部３０は前述したように後方突出部１４の前面１８から離間して形成されていて、弾性変形可能に構成されている。カードホルダ５にカードＣが挿入されていない状態において、間隔調整部３０の最大膨出部３０ａと第２支持壁２２の下半部２４との離間寸法はカードＣの幅寸法Ｃｗよりも若干小さく設定されている。そして、カードホルダ５に収容されたカードＣが前記定位置に収容された状態においては、間隔調整部３０の最大膨出部３０ａがカードＣの左辺Ｃ３の下部に圧接する。つまり、間隔調整部３０は、定位置に収容されたカードＣの底辺Ｃ１に近い位置に配置されている。また、間隔調整部３０の下端３０ｂは第１支持壁２１の左端近傍に位置している。
【００２７】
ガイド壁５０は、第３支持壁２３の上方に配置され、且つ、第２支持壁２２の上半部２５に対向して設置されている。ガイド壁５０は、第２支持壁２２の上半部２５とほぼ左右対称な形状に形成されており、その全長に亘って後方突出部１４の前面１８と一体に形成されている。ガイド壁５０の直線部５１の上端５１ａは、第２支持壁２２の上半部２５における直線部２７の上端２７ａと同じ上下方向位置に配置されており、ガイド壁５０の曲線部５２の下端５２ａは、第２支持壁２２における下半部２４の上端２４ａとほぼ同じ上下方向位置に配置されている。また、ガイド壁５０の曲線部５２の下端５２ａは、第３支持壁２３の固定部２９の上端よりも第２支持壁２２に接近して配置されており、曲線部５２の下端５２ａと第２支持壁２２の下半部２４との離間寸法はカードＣの幅寸法Ｃｗよりも大きく設定されている。また、ガイド壁５０は、直線部５１の上端５１ａの内側および外側、曲線部５２の下端５２ａの外側にそれぞれ設けられたリブ５３によって補強され、剛体に形成されている。
【００２８】
なお、ボックス本体２の前壁部１１に前面パネル３が固定された状態では、前壁部１１の前面１８と前面パネル３の裏面と第１，第２，第３支持壁２１，２２，２３とガイド壁５０とで囲まれた空間がカード収納部となり、このカード収納部からカードＣが抜け落ちないように、前壁部１１に設けられた第１，第２，第３支持壁２１，２２，２３およびガイド壁５０の前面パネル３側の先端は前面パネル３の裏面に接近して位置している。
【００２９】
さらに、図４に示すように、前記カード収納部内において、後方突出部１４の前面１８には、左右１対の面ガイド壁４０，４０が前面パネル３に接近する方向に起立して設けられている。一方の面ガイド壁４０は第２支持壁２２よりも内側において第２支持壁２２の下半部２４と平行に配置されており、他方の面ガイド壁４０は第３支持壁２３の間隔調整部３０よりも内側において前記一方の面ガイド壁４０と平行に配置されている。つまり、両面ガイド壁４０，４０は互いに平行をなしている。
【００３０】
図６に示すように、面ガイド壁４０，４０の上端はダム部１９に突き当たり、前面１８からの高さがダム部１９よりも低くなっている。また、面ガイド壁４０，４０の下端は第１支持壁２１の左右端部に突き当たり、前面１８からの高さが第１支持壁２１よりも低くなっている。面ガイド壁４０，４０は上端から下端に進むにしたがって前面１８からの突出寸法を徐々に大きくしている。そして、舌部１７の表面１７ａの仮想延長面１７ｂに直交する方向（換言すると、挿入されるカードＣの厚さ方向）において、面ガイド壁４０，４０の下端は、仮想延長面１７ｂとダム部１９の先端との間に位置している。
また、面ガイド壁４０，４０は、第１支持壁２１と平行に配置されたリブ４１によって連結されている。このリブ４１も後方突出部１４の前面１８に起立して設けられている。
【００３１】
次に、このカードホルダ５の作用を説明する。
このカードホルダ５に対してカードＣを挿脱する場合には、グローブボックス１を開き、収容凹部４に面して設けられたボックス本体２のカード差し込み部１５を露出させる。
そして、カードＣをカードホルダ５に挿入する場合には、カードＣを舌部１７に添えるように配置して、カードＣの底辺Ｃ１側から挿通孔１６に挿入していく。このときに、カードＣが図４において斜め左下方向へ差し込まれたときには、ガイド壁５０がカードＣの進入方向を真っ直ぐ下向きとなるように案内する。
【００３２】
ここで、挿通孔１６はダム部１９によって後方突出部１４の前面１８から離間しており、しかも、挿通孔１６は複数のカードＣを所定枚数まで重ねて挿入可能な開口厚を有しているので、カードＣを舌部１７の表面１７ａに軽く接触させるようにして挿入することにより、挿入の際にカードＣが、ダム部１９や後方突出部１４の前面１８に接触するのを防止することができる。なお、この場合、カードＣは挿入される際に舌部１７に接触して滑ることとなるが、その接触は局部的な接触ではなく、大きな面積での略面接触になるので、力が分散され、面圧も小さくなるので、カードが傷付くことはない。
【００３３】
また、万一、カードＣの先端側がダム部１９に接近するように斜めに挿入されて、カードＣの表面がダム部１９に接触することがあるとしても、その当たりは極めて緩い。そして、その状態でカードＣを前進させた場合にも、カードＣはダム部１９の稜線に沿って円弧線状（もしくはアーチ状）に線接触して摺動するだけなので、カードＣを傷付けることはない。
【００３４】
さらに、カードＣを前進させていくと、カードＣの先端側の表面が面ガイド壁４０，４０に接触し、この面ガイド壁４０，４０の上を摺動して前進していく。面ガイド壁４０，４０はカードＣが第１支持壁２１に突き当たるまでカードＣをその厚さ方向にガイドする。ここで、前述したように、舌部１７の表面１７ａの仮想延長面１７ｂに直交する方向において、面ガイド壁４０，４０の下端は、仮想延長面１７ｂとダム部１９の先端との間に位置しているので、カードＣが面ガイド壁４０，４０を摺動して前進することにより、ダム部１９との干渉を防止することができる。また、カードＣを後方突出部１４の前面１８から離間した状態に保つことができ、カードＣが前面１８に接触することはない。
【００３５】
なお、カードＣは面ガイド壁４０，４０を摺動する際に少々擦られることにはなるが、面ガイド壁４０，４０と摺動する部分は、カードＣの先端側に限られ、しかも左右縁部に極めて近い部位であり、摺動軌跡も線状であるので、カードＣの表面または裏面に設けられた磁気テープやＩＣチップを損傷することはない。
【００３６】
さらに、カードＣを前進させていくと、カードＣの左下隅部（すなわち、底辺Ｃ１と左辺Ｃ３とが交わる隅部）Ｃ１３が第３支持壁２３の間隔調整部３０に接触する。ここで、間隔調整部３０は第２支持壁２２に接近する方向に突出する円弧状をなしているので、カードＣを前進させていくと、カードＣの左下隅部Ｃ１３が間隔調整部３０を摺動していき、これによりカードＣは前進しながら第２支持壁２２に接近する方向へ案内されていく。
【００３７】
そして、前述したようにカード挿入前の状態においては間隔調整部３０の最大膨出部３０ａと第２支持壁２２の下半部２４との離間寸法がカードＣの横幅寸法Ｃｗよりも小さいので、カードＣの右辺Ｃ２が第２支持壁２２の下半部２４に接触した当初は、カードＣの左下隅部Ｃ１３は最大膨出部３０ａを通過していない。カードＣの左下隅部Ｃ１３が最大膨出部３０ａを通過するには、間隔調整部３０をその弾性に抗して拡開させる必要がある。
そこで、間隔調整部３０を弾性に抗して拡開させるのに必要な力をカードＣを介して間隔調整部３０に加え、これにより間隔調整部３０を拡開させて、カードＣの左下隅部Ｃ１３をして最大膨出部３０ａを通過させる。その後、さらにカードＣの底辺Ｃ１が第１支持壁２１に突き当たるまでカードＣを間隔調整部３０の弾性に抗して前進させ、カードＣを定位置に収容する。
【００３８】
定位置に収容されたカードＣは、右辺Ｃ２を第２支持壁２２の下半部２４に接触させ、左辺Ｃ３を間隔調整部３０の弾性によって最大膨出部３０ａに押圧された状態で支持されることとなる。また、定位置に収容されたカードＣは、底辺Ｃ１を第１支持壁２１に接触させ、表面を面ガイド壁４０，４０の下端に接触させた状態に収まるので、定位置に収容された状態においても、カードＣがダム部１９に接触することがない。
そして、間隔調整部３０の弾性に抗する力でカードＣを引っ張ることにより、定位置に収容されたカードＣを引き出すことができる。
【００３９】
このように、この実施例のカードホルダ５によれば、支持壁２０をカードＣの表面および裏面に接触させないで、カードＣの右辺Ｃ２と左辺Ｃ３を挟むことにより支持することができるので、カードＣの表面および裏面を傷付けないようにすることができる。したがって、カードＣの表面または裏面に設けられた磁気テープやＩＣチップの損傷を防止することができ、カードＣがその機能を損なわれるのを防止することができる。
【００４０】
また、間隔調整部３０が円弧状をなしているので、間隔調整部３０によってカードＣを第２支持壁２２に接近する方向へ案内することができ、カードＣのスムーズな挿入が可能となり、カードＣを挿入し易くなる。
【００４１】
また、間隔調整部３０が、定位置に収容されたカードＣの底辺Ｃ１に近い位置に配置されていて、間隔調整部３０の最大膨出部３０ａがカードＣの左辺Ｃ３の下部に圧接するようになっているので、カードホルダ５にカードＣを挿入するときには挿入初期の挿入抵抗を小さくすることができ、一方、カードＣを引き出すときには、間隔調整部３０の弾性によるカード保持力に抗する力が必要なのは引き出し初期だけで済み、カードＣの挿脱操作が行い易くなる。
【００４２】
さらに、弾性変形可能な間隔調整部３０は、第２支持壁２２と第３支持壁２３の製造上の位置誤差等の寸法誤差を補って、カードＣに対する保持力を確保することができ、カードを確実に保持することが可能となるので、カード保持性能が向上する。また、保持可能なカードＣの寸法許容範囲が広がり、使い勝手が向上する。
【００４３】
〔他の実施例〕
なお、この発明は前述した実施例に限られるものではない。
例えば、カードホルダの設置場所はグローブボックスに限るものではない。また、前述した実施例では、支持手段を構成する第２支持壁２２を剛体とし、第３支持壁２３にだけ弾性変形可能な間隔調整部３０を設けたが、第２支持壁２２にも弾性変形可能な間隔調整部を設け、カードＣの右辺Ｃ２を第２支持壁２２の間隔調整部で圧接し、カードＣの左辺Ｃ３を第３支持壁２３の間隔調整部で圧接するようにしてもよい。
【図面の簡単な説明】
【００４４】
【図１】この発明に係るカードホルダを備えたグローブボックスを背面側から見た斜視図である。
【図２】前記グローブボックスを正面側から見た斜視図である。
【図３】前記グローブボックスを正面側から見た斜視図であって、前面パネルの一部を切り欠いて示す斜視図である。
【図４】ボックス本体における前壁部の右側部分の正面図である。
【図５】ボックス本体における前壁部の右側部分の斜視図である。
【図６】図４のＡ−Ａ断面図である。
【図７】グローブボックスを備えたインストルメントパネルの正面図である。
【符号の説明】
【００４５】
５  カードホルダ
１６  挿通孔
２０  支持壁（支持手段）
２１  第１支持壁
２２  第２支持壁
２３  第３支持壁
３０  間隔調整部
４０  面ガイド壁
５０  ガイド壁
Ｃ  カード
Ｃ１  底辺
Ｃ２  右辺（周囲側面）
Ｃ３  左辺（周囲側面）
【図１】
0005143582.tif 000002
【図２】
0005143582.tif 000003
【図３】
0005143582.tif 000004
【図４】
0005143582.tif 000005
【図５】
0005143582.tif 000006
【図６】
0005143582.tif 000007
【図７】
0005143582.tif 000008